(57)【要約】【課題】複数の電源コードを介して電力供給が行なわれる場合にブレーカが落ちるのを未然に防ぐことが可能な電気機器を提供する。【解決手段】画像形成装置１００は、複数の電源コード１４０及び１５０を介して入力される入力電圧を電源コード毎に検出する入力電圧検出部１４２及び１５２と、複数の電源コードにそれぞれ接続され、接続された電源コードを介して電力が供給される複数のヒータランプ１３２及び１３４と、ヒータランプへの電力の供給をヒータランプ毎に制御するためのヒータランプ制御部１４４及び１５４とを含む。画像形成装置１００はさらに、ヒータランプ制御部１４４及び１５４の制御状態を変化させたときの各制御状態における電源コード毎の入力電圧を入力電圧検出部１４２及び１５２から取得し、取得した入力電圧に基づいて、複数の電源コードが適切にコンセントに接続されているか否かを判定する。【選択図】図２
2015143743.tif 000002
【特許請求の範囲】
【請求項１】
電力を供給するための電源コードを複数持つ電気機器であって、
前記電源コードを介して入力される入力電圧を電源コード毎に検出するための入力電圧検出手段と、
前記複数の電源コードにそれぞれ接続され、接続された前記電源コードを介して電力が供給される複数の負荷部と、
前記負荷部への電力の供給を負荷部毎に制御するための電力供給制御手段と、
前記電力供給制御手段の制御状態を変化させたときの各制御状態における電源コード毎の入力電圧を前記入力電圧検出手段から取得し、取得した入力電圧に基づいて、前記複数の電源コードが適切に電源に接続されているか否かを判定するための判定手段と、
前記判定手段による判定結果が否定であることに応答して、前記複数の電源コードが適切に接続されていないことを通知するための通知手段とを含む、電気機器。
【請求項２】
前記電力供給制御手段は、前記複数の負荷部のうちの１つのみに電力が供給され、かつ電力が供給される前記負荷部が順に変わるように、前記負荷部への電力の供給を負荷部毎に制御するための手段を含み、
前記判定手段は、電力が供給される前記負荷部が順に変わるように、前記制御するための手段の制御状態を変化させたときの各制御状態における電源コード毎の入力電圧を前記入力電圧検出手段から取得し、取得した入力電圧に基づいて、前記複数の電源コードが適切に電源に接続されているか否かを判定するための手段を含む、請求項１に記載の電気機器。
【請求項３】
前記電気機器は、情報を表示するための表示手段をさらに含み、
前記通知手段は、前記判定手段による判定結果が否定であることに応答して、前記複数の電源コードが適切に接続されていないことを示す通知画面を前記表示手段に表示させるための手段を含む、請求項１又は請求項２に記載の電気機器。
【請求項４】
前記電気機器は、前記複数の負荷部に電力が供給されない状態でも動作が可能な機能を持ち、
前記電気機器はさらに、前記判定手段の判定結果に応じて、自機の動作を前記動作が可能な機能に制限するための手段を含む、請求項１〜請求項３のいずれかに記載の電気機器。
【請求項５】
前記電気機器は、前記複数の負荷部のうちの少なくとも１つに電力が供給されない状態でも動作が可能な機能を持ち、
前記電気機器はさらに、前記判定手段の判定結果に応じて、自機の動作を前記動作が可能な機能に制限するための手段を含む、請求項１〜請求項３のいずれかに記載の電気機器。
【請求項６】
前記電気機器は、画像形成装置である、請求項１〜請求項５のいずれかに記載の電気機器。
【発明の詳細な説明】
【技術分野】
【０００１】
本発明は、電気機器に関し、特に、複数の電源コードを持つ電気機器に関する。
【背景技術】
【０００２】
消費電力が大きい電気機器では、単一のＡＣ電源コードによる電力供給が困難な場合がある。こうした問題に対して、従来、単相電力のまま電流又は電圧を増加する、又は電力を単相から３相に変更することによって対応する方法が知られている。しかし、これらの方法はいずれもＡＣ電源コードの変更を伴う。加えて、電気機器を設置する場所の電気設備を変更する必要もある。そこで、こうした方法以外の方法として、従来、複数のＡＣ電源コードを介して電力供給を行なう方法が知られている。
【０００３】
後掲の特許文献１は、ＡＣ負荷に電力を供給するＡＣ負荷系の電源コード、及びＤＣ負荷に電力を供給するＤＣ負荷系の電源コードの２本の電源コードを持つ画像形成装置を開示する。２本の電源コードを持つ場合、１本の電源コードがコンセント（アウトレット）に接続されているのに、他の電源コードが接続されていない場面が想定される。こうした場合、装置が故障しているのか、電源コードが接続されていないのかの区別がつきにくい。特許文献１の画像形成装置では、ＡＣ負荷系のライン上に電源監視部が設けられており、その監視結果が操作部に表示される。これにより、電源コードが接続されているか否かの区別が容易につく。
【０００４】
後掲の特許文献２は、メイン電源コード及びサブ電源コードの２本の電源コードを持つ画像形成装置を開示する。特許文献２の画像形成装置は、サブ電源コードが接続されていない状態を検出すると、操作表示部にサブ電源コードの接続を促す表示を行なう。
【０００５】
特許文献１及び特許文献２の画像形成装置では２本の電源コードを持つことによって、消費電力が大きい場合でも電気設備を変更することなく装置に電力供給を行なうことが可能となる。
【先行技術文献】
【特許文献】
【０００６】
【特許文献１】特開２００３−２９５７０２号公報
【特許文献２】特開２００５−１２１６８１号公報
【発明の概要】
【発明が解決しようとする課題】
【０００７】
２本の電源コードを介して電力供給が行なわれる場合、これら２本の電源コードが同一のブレーカ（遮断器）に繋がっているコンセント（電源）に接続されているとブレーカが落ちてしまうという問題がある。特許文献１及び特許文献２の画像形成装置では、こうした問題を解決できない。さらに特許文献１及び特許文献２の画像形成装置では、２本の電源コードが接続されているコンセントが同一のブレーカに繋がっているものであるのか否かを容易に判定できない。そのため、ブレーカが落ちた後に電源コードを別のコンセントに接続し直したとしても、再度ブレーカが落ちてしまうおそれがある。
【０００８】
本発明は、上記のような課題を解決するためになされたものであり、本発明の１つの目的は、複数の電源コードを介して電力供給が行なわれる場合にブレーカが落ちるのを未然に防ぐことが可能な電気機器を提供することである。
【課題を解決するための手段】
【０００９】
上記目的を達成するために、本発明の一の局面に係る電気機器は、電力を供給するための電源コードを複数持つ電気機器である。この電気機器は、電源コードを介して入力される入力電圧を電源コード毎に検出するための入力電圧検出手段と、複数の電源コードにそれぞれ接続され、接続された電源コードを介して電力が供給される複数の負荷部と、負荷部への電力の供給を負荷部毎に制御するための電力供給制御手段と、電力供給制御手段の制御状態を変化させたときの各制御状態における電源コード毎の入力電圧を入力電圧検出手段から取得し、取得した入力電圧に基づいて、複数の電源コードが適切に電源に接続されているか否かを判定するための判定手段と、判定手段による判定結果が否定であることに応答して、複数の電源コードが適切に接続されていないことを通知するための通知手段とを含む。
【００１０】
入力電圧検出手段は電源コードを介して入力される入力電圧を電源コード毎に検出する。電力供給制御手段は負荷部への電力の供給を負荷部毎に制御する。コンセントとブレーカとの配線状態に応じて電圧降下量が変わるため、電力供給制御手段の制御状態を変化させたときの各制御状態における電源コード毎の入力電圧より、電源コードの上流側の配線状態（コンセントとブレーカとの配線状態）を予測できる。すなわち、複数の電源コードが同一のブレーカに繋がっているコンセントに接続されているか否かが容易に予測できる。そのため、複数の電源コードが適切に電源に接続されている（異なるブレーカに接続されたコンセントに接続されている）か否かが分かる。電気機器は、取得した入力電圧に基づいて、複数の電源コードが適切に電源に接続されているか否かを判定し、判定結果が否定であると、複数の電源コードが適切に接続されていないことを通知する。これにより、ブレーカが落ちるのを未然に防ぐことができる。
【００１１】
好ましくは、電力供給制御手段は、複数の負荷部のうちの１つのみに電力が供給され、かつ電力が供給される負荷部が順に変わるように、負荷部への電力の供給を負荷部毎に制御するための手段を含み、判定手段は、電力が供給される負荷部が順に変わるように、制御するための手段の制御状態を変化させたときの各制御状態における電源コード毎の入力電圧を入力電圧検出手段から取得し、取得した入力電圧に基づいて、複数の電源コードが適切に電源に接続されているか否かを判定するための手段を含む。
【００１２】
より好ましくは、電気機器は、情報を表示するための表示手段をさらに含み、通知手段は、判定手段による判定結果が否定であることに応答して、複数の電源コードが適切に接続されていないことを示す通知画面を表示手段に表示させるための手段を含む。
【００１３】
さらに好ましくは、電気機器は、複数の負荷部に電力が供給されない状態でも動作が可能な機能を持ち、当該電気機器はさらに、判定手段の判定結果に応じて、自機の動作を動作が可能な機能に制限するための手段を含む。
【００１４】
さらに好ましくは、電気機器は、複数の負荷部のうちの少なくとも１つに電力が供給されない状態でも動作が可能な機能を持ち、当該電気機器はさらに、判定手段の判定結果に応じて、自機の動作を動作が可能な機能に制限するための手段を含む。
【００１５】
さらに好ましくは、電気機器は画像形成装置である。
【発明の効果】
【００１６】
以上より、本発明によれば、複数の電源コードを介して電力供給が行なわれる場合にブレーカが落ちるのを未然に防ぐことが可能な電気機器を得ることができる。
【図面の簡単な説明】
【００１７】
【図１】本発明の第１の実施の形態に係る画像形成装置のハードウェア構成を示す制御ブロック図である。
【図２】図１に示す画像形成装置のハードウェア構成を示す図である。
【図３】コンセントとブレーカとの配線状態を説明するための図である。
【図４】図１に示す画像形成装置で実行されるプログラムの制御構造を示すフローチャートである。
【図５】警告画面の一例を示す図である。
【図６】本発明の第２の実施の形態に係る画像形成装置のハードウェア構成を示す図である。
【図７】コンセントとブレーカとの配線状態を説明するための図である。
【図８】図６に示す画像形成装置で実行されるプログラムの制御構造を示すフローチャートである。
【図９】図６に示す画像形成装置で実行されるプログラムの制御構造を示すフローチャートである。
【図１０】本発明の第３の実施の形態に係る画像形成装置で実行されるプログラムの制御構造を示すフローチャートである。
【図１１】本発明の第３の実施の形態に係る画像形成装置で実行されるプログラムの制御構造を示すフローチャートである。
【図１２】警告画面の一例を示す図である。
【図１３】本発明の第４の実施の形態に係る画像形成装置で実行されるプログラムの制御構造を示すフローチャートである。
【図１４】本発明の第４の実施の形態に係る画像形成装置で実行されるプログラムの制御構造を示すフローチャートである。
【図１５】警告画面の一例を示す図である。
【発明を実施するための形態】
【００１８】
以下の実施の形態では、同一の部品には同一の参照番号を付してある。それらの機能及び名称も同一である。したがって、それらについての詳細な説明は繰返さない。以下では、電機機器の１種である画像形成装置に本発明を適用した例について説明する。
【００１９】
（第１の実施の形態）
図１を参照して、本実施の形態に係る画像形成装置１００は、コピー機能、プリンタ機能、スキャナ機能、Ｆａｘ送受信機能及びＥ−ｍａｉｌ送信機能等を備える複合機（Ｍｕｌｔｉｆｕｎｃｔｉｏｎ  Ｐｅｒｉｐｈｅｒａｌ：ＭＦＰ）である。この画像形成装置１００は、レーザー光を露光に利用する、所謂レーザー方式（電子写真方式）の印刷機能を備える。しかし、他の形式の印刷機能を備えたものであってもよい。
【００２０】
画像形成装置１００は複数の電源コード（ＡＣコード）を持つ。本実施の形態では、画像形成装置１００は２本の電源コードを持つ。２本の電源コードはいずれも電源（コンセント）に接続され、この２本の電源コードを介して画像形成装置１００に電力が供給される。
【００２１】
同一のブレーカに繋がっているコンセントに２本の電源コードが接続されている場合、画像形成装置１００の動作時にブレーカが落ちるおそれがある。電源供給側の配線工事等を行なわずにブレーカが落ちるのを抑制するためには、これら複数の電源コードは、基本的には異なるブレーカに繋がっているコンセントに接続されている必要がある。
【００２２】
本実施の形態に係る画像形成装置１００は、起動時に、異なるブレーカに繋がっているコンセントに２本の電源コードが接続されているか否かを判定する。判定結果が否定の場合、すなわち、同一のブレーカに繋がっているコンセントに２本の電源コードが接続されていると判定した場合、画像形成装置１００は、電源コードが適切に接続されていない（同一のブレーカに繋がっているコンセントに２本の電源コードが接続されている）ことをユーザに通知する。
【００２３】
［ハードウェア構成］
画像形成装置１００は、各機能部を制御する制御部１０２、原稿から画像データを読取るための画像読取部１０４、画像読取部１０４により読取られた画像データを格納する画像メモリ１０６、画像形成装置１００に関する各制御プログラムを格納する制御プログラム記憶部１０８、画像データに対して処理を施す画像処理部１１０、記録媒体（例えば記録用紙）上に画像を形成する画像形成部１１２、画像形成装置１００へ操作を加えるための操作部１１４、アナログ／デジタル変換を行なうモデム部１１６、画像形成装置１００に接続される外部装置との通信を行なう通信部１１８、画像形成装置１００に関する設定及び画像形成装置１００で実行されるジョブ等を管理したりする管理部１２０、並びに、画像メモリ１０６に格納される画像データに関する情報等を格納する記憶部１２２を含む。
【００２４】
画像形成装置１００はさらに、各機能部に電力を供給するための電源部１２４、画像読取部１０４及び画像形成部１１２等を駆動するための駆動部１２６、及び種々の演算を実行するための演算部１２８を含む。
【００２５】
制御部１０２は、実質的にコンピュータであって、画像形成装置１００全体を制御するＣＰＵ（Ｃｅｎｔｒａｌ  Ｐｒｏｃｅｓｓｉｎｇ  Ｕｎｉｔ）等を含む。
【００２６】
画像形成部１１２は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を含む。
【００２７】
画像形成部１１２には、例えば、搬送路が設けられており、給紙部（図示せず。）から給紙されてきた記録用紙が搬送路に沿って搬送される。給紙部は、給紙トレイに収納された記録用紙、又は手差し給紙トレイに載置された記録用紙を１枚ずつ引出して記録用紙を画像形成部１１２の搬送路へと送り出す。画像形成部１１２の搬送路に沿って記録用紙が搬送されている途中で、記録用紙が感光体ドラムと転写装置との間を通過し、更に定着装置を通過して、記録用紙に対する印刷が行なわれる。
【００２８】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００２９】
定着装置は、記録用紙を加熱するための加熱ローラと、記録用紙を加圧するための加圧ローラとを含む。この定着装置は、後述するように、加熱ローラを加熱するための加熱源となるヒータランプを含む。記録用紙は、加熱ローラによって加熱され、かつ、加圧ローラによって加圧されることによって、記録用紙上に転写されたトナー像が記録用紙に定着される。定着装置から排出された記録用紙は排紙トレイ（図示せず。）に排出される。
【００３０】
操作部１１４は、表示パネルとタッチパネルとを含むタッチパネルディスプレイ（図示せず。）を含む。表示パネルは、画像形成装置１００の状態及び各種処理の状態に関する情報等の各種情報をユーザに提供する。このタッチパネルディスプレイはまた、ユーザに対して対話的な操作インターフェイスを提供する。この対話的な操作インターフェイスは、タッチパネルから画像形成装置１００全体の動作に対するユーザの指示を受付け、その指示の内容を表示パネルに表示するとともに、その指示に応じた制御信号を制御部１０２等に対して出力する。
【００３１】
駆動部１２６は、モータ、及びクラッチ・ソレノイド等の駆動源（図示せず。）を含む。駆動部１２６は、これら駆動源により画像読取部１０４及び画像形成部１１２等を駆動する。
【００３２】
図２を参照して、画像形成装置１００は、２本の電源コード（第１のＡＣ電源コード１４０及び第２のＡＣ電源コード１５０）、第１の入力電圧検出部１４２（以下「検出部（１）」と呼ぶ場合がある。）、第２の入力電圧検出部１５２（以下「検出部（２）」と呼ぶ場合がある。）、第１のヒータランプ制御部１４４、並びに第２のヒータランプ制御部１５４をさらに含む。上記電源部１２４はＡＣ−ＤＣ電源１３０を含む。画像形成部１１２の定着装置は、ヒータランプ１３２及びヒータランプ１３４を含む。
【００３３】
第１の入力電圧検出部１４２は、第１のＡＣ電源コード１４０に接続されて、当該第１のＡＣ電源コード１４０を介して入力される入力電圧を検出する。第２の入力電圧検出部１５２は、第２のＡＣ電源コード１５０に接続されて、当該第２のＡＣ電源コード１５０を介して入力される入力電圧を検出する。ＡＣ−ＤＣ電源１３０は、第１のＡＣ電源コード１４０を介して入力されたＡＣ（交流）をＤＣ（直流）に変換する。変換された電力は、制御部１０２、演算部１２８及び駆動部１２６等のＤＣ駆動の機能部に供給される。
【００３４】
第１のＡＣ電源コード１４０には、第１のヒータランプ制御部１４４を介して、ＡＣ−ＤＣ電源１３０と並列にヒータランプ１３２が接続されている。第２のＡＣ電源コード１５０には、第２のヒータランプ制御部１５４を介してヒータランプ１３４が接続されている。すなわち、ヒータランプ１３２及びヒータランプ１３４は、電源コード毎に接続されており、接続された電源コードを介して電力が供給される。ヒータランプ１３２及びヒータランプ１３４は、画像形成装置１００において、比較的消費電力の大きい負荷部（重負荷部）である。本実施の形態では、ヒータランプ１３２の消費電力は例えば９００Ｗであり、ヒータランプ１３４の消費電力は例えば１０００Ｗであるものとする。
【００３５】
第１のヒータランプ制御部１４４は、制御部１０２の制御のもとで、ヒータランプ１３２への電力の供給を制御する。同様に、第２のヒータランプ制御部１５４は、制御部１０２の制御のもとで、ヒータランプ１３４への電力の供給を制御する。第１のヒータランプ制御部１４４及び第２のヒータランプ制御部１５４は、それぞれ、例えばヒータランプ制御用のトライアック等からなる。第１のヒータランプ制御部１４４は、制御部１０２からの指示に応じてＯＮ／ＯＦＦすることにより、ヒータランプ１３２のＯＮ（電力が供給された状態）／ＯＦＦ（電力が供給されていない状態）を切替える。第２のヒータランプ制御部１５４は、制御部１０２からの指示に応じてＯＮ／ＯＦＦすることにより、ヒータランプ１３４のＯＮ（電力が供給された状態）／ＯＦＦ（電力が供給されていない状態）を切替える。
【００３６】
このように、本実施の形態に係る画像形成装置１００は、２つのヒータランプ１３２及び１３４を含み、これらのヒータランプ１３２及び１３４に別々の電源コードを介して電力が供給されるように構成されている。
【００３７】
［コンセントとブレーカとの配線状態］
図３を参照して、画像形成装置１００の２本のＡＣ電源コード１４０及び１５０がコンセントに接続されている場合、ＡＣ電源コードが接続されているコンセントとブレーカとの配線状態として、２つの配線状態が考えられる。１つは、図３（Ａ）に示すように、２つのコンセントが異なるブレーカに繋がっている配線状態（以下「配線事例（Ａ１）」と呼ぶ。）である。もう１つは、図３（Ｂ）に示すように、２つのコンセントが同一のブレーカに繋がっている配線状態（以下「配線事例（Ａ２）」と呼ぶ。）である。配線事例（Ａ１）の場合、２本のＡＣ電源コード１４０及び１５０は適切に接続されている状態（適切なコンセントに接続されている状態）となる。配線事例（Ａ２）の場合、２本のＡＣ電源コード１４０及び１５０は適切に接続されていない状態（適切なコンセントに接続されていない状態）となる。配線事例（Ａ２）のコンセントに２本のＡＣ電源コード１４０及び１５０が接続されていると、画像形成装置１００の動作時にブレーカが落ちるおそれがある。本実施の形態に係る画像形成装置１００は、ＡＣ電源コード１４０及び１５０の上流側の配線状態（コンセントとブレーカとの配線状態）を予測することにより、ブレーカが落ちるのを未然に防ぐ機能を持つ。
【００３８】
［ソフトウェア構成］
図４を参照して、ブレーカが落ちるのを未然に防ぐための処理を実行するために、画像形成装置１００で実行されるコンピュータプログラムの制御構造について説明する。
【００３９】
このプログラムは、画像形成装置１００に電源が投入されたことに応じて開始する。このプログラムは、イニシャル動作が完了したことを検出するステップＳ１０００と、ステップＳ１０００の後に実行され、第１の入力電圧検出部１４２及び第２の入力電圧検出部１５２を制御して、第１のＡＣ電源コード１４０の入力電圧及び第２のＡＣ電源コード１５０の入力電圧を検出するステップＳ１０１０とを含む。
【００４０】
ステップＳ１０００では、制御部１０２は、駆動部１２６（駆動系）等が駆動／制御開始可能な状態となっているか否かを検出する。ステップＳ１０１０では、第１のヒータランプ制御部１４４及び第２のヒータランプ制御部１５４はいずれもＯＦＦ状態であり、ヒータランプ１３２及びヒータランプ１３４には電力が供給されていない状態である。
【００４１】
このプログラムはさらに、ステップＳ１０１０の後に実行され、第２のヒータランプ制御部１５４をＯＮにするステップＳ１０２０と、ステップＳ１０２０の後に実行され、第１の入力電圧検出部１４２及び第２の入力電圧検出部１５２を制御して、第１のＡＣ電源コード１４０の入力電圧及び第２のＡＣ電源コード１５０の入力電圧を検出するステップＳ１０３０と、ステップＳ１０３０の後に実行され、第２のヒータランプ制御部１５４をＯＦＦにするステップＳ１０４０と、ステップＳ１０４０の後に実行され、第１のヒータランプ制御部１４４をＯＮにするステップＳ１０５０と、ステップＳ１０５０の後に実行され、第１の入力電圧検出部１４２及び第２の入力電圧検出部１５２を制御して、第１のＡＣ電源コード１４０の入力電圧及び第２のＡＣ電源コード１５０の入力電圧を検出するステップＳ１０６０と、ステップＳ１０６０の後に実行され、第１のヒータランプ制御部１４４をＯＦＦにするステップＳ１０７０とを含む。
【００４２】
本実施の形態では、ステップＳ１０１０の入力電圧の検出を「測定１」とし、ステップＳ１０３０の入力電圧の検出を「測定２」とし、ステップＳ１０６０の入力電圧の検出を「測定３」とする。
【００４３】
このプログラムはさらに、ステップＳ１０７０の後に実行され、測定１−測定２の電圧値、及び測定１−測定３の電圧値を算出し、算出した電圧値の最小値（Ｍｉｎ値）を、演算部１２８を介して算出するステップＳ１０８０と、ステップＳ１０８０の後に実行され、算出したＭｉｎ値が所定の閾値以上か否かを判定し、判定結果に応じて制御の流れを分岐させるステップＳ１０９０と、ステップＳ１０９０において、算出したＭｉｎ値が所定の閾値以上であると判定された場合に実行され、ＡＣ電源コードの接続が適切でないことをユーザに警告報知するステップＳ１１００と、ステップＳ１１００の後に実行され、電源がＯＦＦされたか否かを判定し、電源がＯＦＦされるまで待機するステップＳ１１１０とを含む。なお、測定１−測定２の電圧値とは、測定１の電圧値から測定２の電圧値を減算した電圧値であり、測定１−測定３の電圧値とは、測定１の電圧値から測定３の電圧値を減算した電圧値である。
【００４４】
ステップＳ１１００では、図５に示される警告画面３００がタッチパネルディスプレイに表示される。図５を参照して、この警告画面３００は「ＡＣコードの接続が適切ではありません。一方のＡＣコードを別のコンセントに繋ぎ直して下さい。」との警告メッセージを表示する領域３１０を含む。ステップＳ１０９０において、Ｍｉｎ値が所定の閾値以上でないと判定された場合は、このプログラムは終了する。ステップＳ１１１０において、電源がＯＦＦされたと判定された場合もこのプログラムは終了する。
【００４５】
［動作］
本実施の形態に係る画像形成装置１００は以下のように動作する。以下の説明では、画像形成装置１００の動作の内、本発明に関連する部分のみを説明する。他の動作は従来の動作と同様である。
【００４６】
画像形成装置１００の２本の電源コード（第１のＡＣ電源コード１４０及び第２のＡＣ電源コード１５０）がコンセントに接続されているものとする。画像形成装置１００に電源が投入されると、画像形成装置１００はイニシャル動作を開始する。イニシャル動作が完了すると、画像形成装置１００は、第１のＡＣ電源コード１４０の入力電圧及び第２のＡＣ電源コード１５０の入力電圧を検出する（測定１：図４に示すステップＳ１０１０）。このとき、第１のヒータランプ制御部１４４及び第２のヒータランプ制御部１５４はいずれもＯＦＦ状態であり、ヒータランプ１３２及びヒータランプ１３４には電力が供給されていない。ただし、ＡＣ−ＤＣ電源１３０には電力が供給されている。入力電圧の検出時におけるＡＣ−ＤＣ電源１３０の消費電力は例えば１００Ｗとする。
【００４７】
入力電圧を検出すると、画像形成装置１００は、第２のヒータランプ制御部１５４をＯＮにしてヒータランプ１３４に電力を供給する（ステップＳ１０２０）。画像形成装置１００は、この状態において、第１のＡＣ電源コード１４０の入力電圧及び第２のＡＣ電源コード１５０の入力電圧を検出する（測定２：ステップＳ１０３０）。画像形成装置１００は、第２のヒータランプ制御部１５４をＯＦＦ（ステップＳ１０４０）にした後、第１のヒータランプ制御部１４４をＯＮ（ステップＳ１０５０）にする。これにより、ヒータランプ１３２及びヒータランプ１３４のうち、ヒータランプ１３２のみに電力が供給された状態となる。画像形成装置１００は、この状態において、第１のＡＣ電源コード１４０の入力電圧及び第２のＡＣ電源コード１５０の入力電圧を検出する（測定３：ステップＳ１０６０）。入力電圧を検出すると、画像形成装置１００は、第１のヒータランプ制御部１４４をＯＦＦ（ステップＳ１０７０）にしてヒータランプ１３２に電力が供給されていない状態にする。
【００４８】
画像形成装置１００は、演算部１２８によって、測定１−測定２の電圧値、及び測定１−測定３の電圧値を算出し、さらにこれらの電圧値の中の最小値（Ｍｉｎ値）を求める（ステップＳ１０８０）。画像形成装置１００は、Ｍｉｎ値と所定の閾値とを比較することにより、２本のＡＣ電源コード１４０及び１５０が適切なコンセントに接続されているか否かを判定する。Ｍｉｎ値と所定の閾値とを比較することによって、ＡＣ電源コード１４０及び１５０の上流側の配線状態を予測することが可能であり、画像形成装置１００はＡＣ電源コードが接続されているコンセントとブレーカとの配線状態が配線事例（Ａ１）の状態か配線事例（Ａ２）の状態かを判定する。所定の閾値は例えば０．５Ｖとされる。ただし、閾値はこの値に限定されない。この閾値はヒータランプの負荷構成等によるため、ヒータランプの負荷構成等に応じて適宜変更するのが好ましい。
【００４９】
２本のＡＣ電源コード１４０及び１５０が適切なコンセントに接続されているか否かの判定について、以下の表１を参照してより具体的に説明する。
【００５０】
表１は、配線事例（Ａ１）及び配線事例（Ａ２）の配線状態において、測定１〜測定３の結果がどのようになるのかを示したものである。表１のデータは実際に測定を行なった測定データではなく、ほぼ同等の測定結果になると予想される仮想データである。ブレーカ前の電圧は測定不能であるため、このデータもほぼ同等の値になると予想されるデータである。なお、表１では、配線事例（Ａ１）の配線状態、及び配線事例（Ａ２）の配線状態が簡略化して示されている。
【００５１】
【表１】
2015143743.tif 000003
【００５２】
表１を参照して、２つのコンセントが別々のブレーカに繋がっている配線事例（Ａ１）の場合、ヒータランプ１３４に電力が供給されている状態で入力電圧が検出された測定２では、検出部（２）の検出値（入力電圧）が電圧降下によって小さくなり、検出部（１）の検出値（入力電圧）はそれほど変化しない。そのため、測定１−測定２の値は、検出部（１）では０．１Ｖ程度と小さく、検出部（２）では１．７Ｖ程度と大きくなる。ヒータランプ１３２に電力が供給されている状態で入力電圧が検出された測定３では、検出部（２）の検出値はほとんど変化しないのに対し、検出部（１）の検出値が電圧降下によって小さくなる。そのため、測定１−測定３の値は、検出部（１）では１．９Ｖ程度と大きく、検出部（２）では０．１Ｖ程度と小さくなる。
【００５３】
測定１−測定２の電圧値、及び測定１−測定３の電圧値の中の最小値（Ｍｉｎ値）は０．１Ｖである。このＭｉｎ値（０．１Ｖ）と所定の閾値（０．５Ｖ）とを比較すると、Ｍｉｎ値は閾値より小さい（図４に示すステップＳ１０９０においてＮＯ）。したがって、Ｍｉｎ値が閾値より小さい場合、画像形成装置１００はＡＣ電源コード１４０及び１５０の上流側の配線状態が配線事例（Ａ１）の状態であると予測して、２本のＡＣ電源コード１４０及び１５０が適切なコンセントに接続されていると判定する。
【００５４】
一方、２つのコンセントが同一のブレーカに繋がっている配線事例（Ａ２）の場合、ヒータランプ１３４に電力が供給されている状態で入力電圧が検出された測定２では、検出部（１）及び検出部（２）の検出値はいずれも電圧降下によって小さくなる。そのため、測定１−測定２の値は、検出部（１）では１．１Ｖ程度、検出部（２）では１．９Ｖ程度といずれも大きくなる。ヒータランプ１３２に電力が供給されている状態で入力電圧が検出された測定３でも、検出部（１）及び検出部（２）の検出値はいずれも電圧降下によって小さくなる。そのため、測定１−測定３の値は、検出部（１）では１．９Ｖ程度、検出部（２）では１．０Ｖ程度といずれも大きくなる。
【００５５】
測定１−測定２の電圧値、及び測定１−測定３の電圧値の中の最小値（Ｍｉｎ値）は１．０Ｖである。このＭｉｎ値（１．０Ｖ）と所定の閾値（０．５Ｖ）とを比較すると、Ｍｉｎ値は閾値以上である（図４に示すステップＳ１０９０においてＹＥＳ）。したがって、Ｍｉｎ値が閾値以上である場合、画像形成装置１００はＡＣ電源コード１４０及び１５０の上流側の配線状態が配線事例（Ａ２）の状態であると予測して、２本のＡＣ電源コード１４０及び１５０が適切なコンセントに接続されていないと判定する。
【００５６】
２本のＡＣ電源コード１４０及び１５０が適切なコンセントに接続されていないと判定すると、画像形成装置１００はそのことをユーザに通知する。本実施の形態では、画像形成装置１００は、タッチパネルディスプレイに図５に示される警告画面３００を表示することによって、ＡＣ電源コードの接続が適切でないことをユーザに警告報知する（ステップＳ１１００）。
【００５７】
警告画面３００を見たユーザは、電源をＯＦＦにして（ステップＳ１１１０においてＹＥＳ）ＡＣ電源コードを別のコンセントに繋ぎ直し、再度電源を投入するものとする。画像形成装置１００は、上記動作を行なうことによって、２本のＡＣ電源コード１４０及び１５０が適切なコンセントに接続されているか否かを再び判定する。
【００５８】
２本のＡＣ電源コード１４０及び１５０が適切なコンセントに接続されていると判定すると、画像形成装置１００は通常の動作が可能な状態となる。
【００５９】
［作用・効果］
以上の説明から明らかなように、本実施の形態に係る画像形成装置１００を利用することにより、以下に述べる効果を奏する。
【００６０】
第１の入力電圧検出部１４２及び第２の入力電圧検出部１５２は、それぞれ、第１のＡＣ電源コード１４０及び第２のＡＣ電源コード１５０を介して入力される入力電圧を検出する。第１のヒータランプ制御部１４４及び第２のヒータランプ制御部１５４は、それぞれ、ヒータランプ１３２及びヒータランプ１３４への電力の供給を制御する。コンセントとブレーカとの配線状態に応じて電圧降下量が変わるため、第１のヒータランプ制御部１４４及び第２のヒータランプ制御部１５４の制御状態（ＯＮ／ＯＦＦ状態）を変化させたときの各制御状態におけるＡＣ電源コード毎の入力電圧より、ＡＣ電源コードの上流側の配線状態（コンセントとブレーカとの配線状態）を予測できる。すなわち、２本のＡＣ電源コード１４０及び１５０が、同一のブレーカに繋がっているコンセントに接続されているか否かが容易に予測できる。そのため、２本のＡＣ電源コード１４０及び１５０が適切に電源（コンセント）に接続されている（異なるブレーカに繋がっているコンセントに接続されている）か否かが分かる。画像形成装置１００は、取得した入力電圧に基づいて、２本のＡＣ電源コード１４０及び１５０が適切に電源に接続されているか否かを判定し、判定結果が否定であると、２本のＡＣ電源コード１４０及び１５０が適切に接続されていないことをユーザに通知する。これにより、ブレーカが落ちるのを未然に防ぐことができる。
【００６１】
本実施の形態では、ＡＣ電源コードの上流側の配線状態（コンセントとブレーカとの配線状態）が容易に予測できるため、各々のコンセントとブレーカとの配線状態を調べる必要がない。
【００６２】
さらに、複数のヒータランプ１３２及び１３４のうちの１つのみに電力が供給され、かつ電力が供給されるヒータランプが順に変わるようにヒータランプへの電力の供給をヒータランプ毎に制御し、各制御状態におけるＡＣ電源コード毎の入力電圧を検出することによって、ＡＣ電源コードの上流側の配線状態（コンセントとブレーカとの配線状態）をより容易に予測できる。
【００６３】
（第２の実施の形態）
図６を参照して、本実施の形態に係る画像形成装置２００は、３本の電源コードを持つ点において、２本の電源コードを持つ第１の実施の形態に係る画像形成装置１００と異なる。その他の点では、各画像形成装置は同一の構成である。
【００６４】
［ハードウェア構成］
本実施の形態では、画像形成装置２００は、第１のＡＣ電源コード１４０及び第２のＡＣ電源コード１５０に加えて、第３のＡＣ電源コード１６０をさらに含む。画像形成装置２００の定着装置は、ヒータランプ１３２及びヒータランプ１３４に加えて、ヒータランプ１３６をさらに含む。ヒータランプ１３６は、第３のＡＣ電源コード１６０に接続され、当該第３のＡＣ電源コード１６０を介して電力が供給される。画像形成装置２００はさらに、第３のＡＣ電源コード１６０の入力電圧を検出する第３の入力電圧検出部１６２（以下「検出部（３）」と呼ぶ場合がある。）、及び、制御部１０２の制御のもとでヒータランプ１３６への電力の供給を制御する第３のヒータランプ制御部１６４を含む。第３のヒータランプ制御部１６４は、第１のヒータランプ制御部１４４及び第２のヒータランプ制御部１５４と同様、例えばヒータランプ制御用のトライアック等からなる。この第３のヒータランプ制御部１６４は、制御部１０２からの指示に応じてＯＮ／ＯＦＦすることにより、ヒータランプ１３６のＯＮ（電力が供給された状態）／ＯＦＦ（電力が供給されていない状態）を切替える。
【００６５】
［コンセントとブレーカとの配線状態］
図７を参照して、画像形成装置２００の３本のＡＣ電源コード１４０、１５０及び１６０がコンセントに接続されている場合、ＡＣ電源コードが接続されているコンセントとブレーカとの配線状態として、３つの配線状態が考えられる。１つは、図７（Ａ）に示すように、３つのコンセントがいずれも異なるブレーカに繋がっている配線状態（以下「配線事例（Ｂ１）」と呼ぶ。）である。他の１つは、図７（Ｂ）に示すように、３つのコンセントのうちの２つのコンセントが同一のブレーカに繋がっている配線状態（以下「配線事例（Ｂ２）」と呼ぶ。）である。図７（Ｂ）には、第１のＡＣ電源コード１４０及び第２のＡＣ電源コード１５０が、同一のブレーカに繋がったコンセントに接続されている例が示されている。ただし、第２のＡＣ電源コード１５０及び第３のＡＣ電源コード１６０が、同一のブレーカに繋がったコンセントに接続される場合、並びに、第１のＡＣ電源コード１４０及び第３のＡＣ電源コード１６０が、同一のブレーカに繋がったコンセントに接続される場合もあり得る。さらに他の１つは、図７（Ｃ）に示すように、３つのコンセントのうちのいずれもが同一のブレーカに繋がっている配線状態（以下「配線事例（Ｂ３）」と呼ぶ。）である。
【００６６】
配線事例（Ｂ１）の場合は、３本のＡＣ電源コードは適切に接続されている状態（適切なコンセントに接続されている状態）となる。配線事例（Ｂ２）及び配線事例（Ｂ３）の場合は、ＡＣ電源コードが適切に接続されていない状態（適切なコンセントに接続されていない状態）となる。配線事例（Ｂ２）、又は配線事例（Ｂ３）のコンセントに３本のＡＣ電源コードが接続されていると、画像形成装置２００の動作時にブレーカが落ちるおそれがある。本実施の形態に係る画像形成装置２００は、第１の実施の形態と同様、ＡＣ電源コードの上流側の配線状態（コンセントとブレーカとの配線状態）を予測することにより、ブレーカが落ちるのを未然に防ぐ機能を持つ。
【００６７】
［ソフトウェア構成］
図８及び図９を参照して、ブレーカが落ちるのを未然に防ぐための処理を実行するために、画像形成装置２００で実行されるコンピュータプログラムの制御構造について説明する。
【００６８】
このプログラムは、画像形成装置２００に電源が投入されたことに応じて開始する。図８を参照して、このプログラムは、イニシャル動作が完了したことを検出するステップＳ２０００と、ステップＳ２０００の後に実行され、第１〜第３の入力電圧検出部１４２、１５２及び１６２を制御して、第１のＡＣ電源コード１４０の入力電圧、第２のＡＣ電源コード１５０の入力電圧及び第３のＡＣ電源コード１６０の入力電圧を検出するステップＳ２０１０とを含む。
【００６９】
ステップＳ２０００では、制御部１０２は、駆動部１２６（駆動系）等が駆動／制御開始可能な状態となっているか否かを検出する。ステップＳ２０１０では、第１のヒータランプ制御部１４４、第２のヒータランプ制御部１５４及び第３のヒータランプ制御部１６４はいずれもＯＦＦ状態であり、ヒータランプ１３２、ヒータランプ１３４及びヒータランプ１３６には電力が供給されていない状態である。
【００７０】
このプログラムはさらに、ステップＳ２０１０の後に実行され、第２のヒータランプ制御部１５４をＯＮにするステップＳ２０２０と、ステップＳ２０２０の後に実行され、第１〜第３の入力電圧検出部１４２、１５２及び１６２を制御して、第１のＡＣ電源コード１４０の入力電圧、第２のＡＣ電源コード１５０の入力電圧及び第３のＡＣ電源コード１６０の入力電圧を検出するステップＳ２０３０と、ステップＳ２０３０の後に実行され、第２のヒータランプ制御部１５４をＯＦＦにするステップＳ２０４０と、ステップＳ２０４０の後に実行され、第１のヒータランプ制御部１４４をＯＮにするステップＳ２０５０と、ステップＳ２０５０の後に実行され、第１〜第３の入力電圧検出部１４２、１５２及び１６２を制御して、第１のＡＣ電源コード１４０の入力電圧、第２のＡＣ電源コード１５０の入力電圧及び第３のＡＣ電源コード１６０の入力電圧を検出するステップＳ２０６０と、ステップＳ２０６０の後に実行され、第１のヒータランプ制御部１４４をＯＦＦにするステップＳ２０７０と、ステップＳ２０７０の後に実行され、第３のヒータランプ制御部１６４をＯＮにするステップＳ２０８０と、ステップＳ２０８０の後に実行され、第１〜第３の入力電圧検出部１４２、１５２及び１６２を制御して、第１のＡＣ電源コード１４０の入力電圧、第２のＡＣ電源コード１５０の入力電圧及び第３のＡＣ電源コード１６０の入力電圧を検出するステップＳ２０９０とを含む。
【００７１】
本実施の形態では、ステップＳ２０１０の入力電圧の検出を「測定１」とし、ステップＳ２０３０の入力電圧の検出を「測定２」とし、ステップＳ２０６０の入力電圧の検出を「測定３」とし、ステップＳ２０９０の入力電圧の検出を「測定４」とする。
【００７２】
図９を参照して、このプログラムはさらに、ステップＳ２０９０（図８参照）の後に実行され、第３のヒータランプ制御部１６４をＯＦＦにするステップＳ２１００と、ステップＳ２１００の後に実行され、測定１−測定２の電圧値、測定１−測定３の電圧値、及び測定１−測定４の電圧値を算出するステップＳ２１１０と、ステップＳ２１１０の後に実行され、測定１−測定２の算出結果、測定１−測定３の算出結果、及び測定１−測定４の算出結果において所定の閾値以上の値が複数個ある算出結果があるか否かを判定し、判定結果に応じて制御の流れを分岐させるステップＳ２１２０と、ステップＳ２１２０において、所定の閾値以上の値が複数個ある算出結果があると判定された場合に実行され、ＡＣ電源コードの接続が適切でないことをユーザに警告報知するステップＳ２１３０と、ステップＳ２１３０の後に実行され、電源がＯＦＦされたか否かを判定し、電源がＯＦＦされるまで待機するステップＳ２１４０とを含む。なお、測定１−測定２の電圧値とは、測定１の電圧値から測定２の電圧値を減算した電圧値であり、測定１−測定３の電圧値とは、測定１の電圧値から測定３の電圧値を減算した電圧値であり、測定１−測定４の電圧値とは、測定１の電圧値から測定４の電圧値を減算した電圧値である。
【００７３】
ステップＳ２１２０では、所定の閾値以上の値が複数個ある算出結果が存在すると、所定の閾値以上の電圧値となっているＡＣ電源コードの接続が適切でないと判定される。ステップＳ２１３０では、ＡＣ電源コードの接続が適切でないこと等を示す警告メッセージを含む警告画面（図示せず。）がタッチパネルディスプレイに表示される。ステップＳ２１２０において、所定の閾値以上の値が複数個ある算出結果がないと判定された場合は、このプログラムは終了する。ステップＳ２１４０において、電源がＯＦＦされたと判定された場合もこのプログラムは終了する。
【００７４】
［動作］
本実施の形態に係る画像形成装置２００は以下のように動作する。
【００７５】
画像形成装置２００の３本の電源コード（第１のＡＣ電源コード１４０、第２のＡＣ電源コード１５０及び第３のＡＣ電源コード１６０）がコンセントに接続されているものとする。画像形成装置２００に電源が投入されると、画像形成装置２００はイニシャル動作を開始する。イニシャル動作が完了すると、画像形成装置２００は、第１のＡＣ電源コード１４０の入力電圧、第２のＡＣ電源コード１５０の入力電圧、及び第３のＡＣ電源コード１６０の入力電圧を検出する（測定１：図８に示すステップＳ２０１０）。このとき、第１のヒータランプ制御部１４４、第２のヒータランプ制御部１５４及び第３のヒータランプ制御部１６４はいずれもＯＦＦ状態であり、ヒータランプ１３２、ヒータランプ１３４及びヒータランプ１３６には電力が供給されていない。ただし、ＡＣ−ＤＣ電源１３０には電力が供給されている。入力電圧の検出時におけるＡＣ−ＤＣ電源１３０の消費電力は１００Ｗとする。
【００７６】
入力電圧を検出すると、画像形成装置２００は、第２のヒータランプ制御部１５４をＯＮにしてヒータランプ１３４に電力を供給する（ステップＳ２０２０）。画像形成装置２００は、この状態において、第１のＡＣ電源コード１４０の入力電圧、第２のＡＣ電源コード１５０の入力電圧、及び第３のＡＣ電源コード１６０の入力電圧を検出する（測定２：ステップＳ２０３０）。入力電圧を検出すると、画像形成装置２００は、第２のヒータランプ制御部１５４をＯＦＦ（ステップＳ２０４０）にし、第１のヒータランプ制御部１４４をＯＮ（ステップＳ２０５０）にする。これにより、ヒータランプ１３２、ヒータランプ１３４及びヒータランプ１３６のうち、ヒータランプ１３２のみに電力が供給された状態となる。画像形成装置２００は、この状態において、第１のＡＣ電源コード１４０の入力電圧、第２のＡＣ電源コード１５０の入力電圧、及び第３のＡＣ電源コード１６０の入力電圧を検出する（測定３：ステップＳ２０６０）。入力電圧を検出すると、画像形成装置２００は、第１のヒータランプ制御部１４４をＯＦＦ（ステップＳ２０７０）にし、第３のヒータランプ制御部１６４をＯＮ（ステップＳ２０８０）にする。これにより、ヒータランプ１３２、ヒータランプ１３４及びヒータランプ１３６のうち、ヒータランプ１３６のみに電力が供給された状態となる。画像形成装置２００は、この状態において、第１のＡＣ電源コード１４０の入力電圧、第２のＡＣ電源コード１５０の入力電圧、及び第３のＡＣ電源コード１６０の入力電圧を検出する（測定４：ステップＳ２０９０）。入力電圧を検出すると、画像形成装置２００は、第３のヒータランプ制御部１６４をＯＦＦ（図９に示すステップＳ２１００）にしてヒータランプ１３６に電力が供給されていない状態にする。
【００７７】
続いて画像形成装置２００は、演算部１２８によって測定１−測定２の電圧値、測定１−測定３の電圧値、及び測定１−測定４の電圧値を算出する（ステップＳ２１１０）。そして、測定１−測定２の算出結果、測定１−測定３の算出結果、及び測定１−測定４の算出結果において所定の閾値以上の値が複数個ある算出結果があるか否かを判定する。所定の閾値以上の値が複数個ある算出結果があるか否かによって、ＡＣ電源コード１４０、１５０及び１６０の上流側の配線状態を予測することが可能である。所定の閾値以上の値が複数個ある算出結果が存在する場合、画像形成装置２００は所定の閾値以上の電圧値となっているＡＣ電源コードの接続が適切でないと判定する。一方、所定の閾値以上の値が複数個ある算出結果が存在しない場合、画像形成装置２００は、３本のＡＣ電源コードの接続は全て適切であると判定する。これにより、所定の閾値以上の値が複数個ある算出結果があるか否かによって、ＡＣ電源コード１４０、１５０及び１６０の上流側の配線状態が、配線事例（Ｂ１）、配線事例（Ｂ２）、及び配線事例（Ｂ３）のいずれの状態であるのかが予測できる。なお、所定の閾値は、第１の実施の形態と同様、例えば０．５Ｖとされる。ただし、本実施の形態においても、閾値はこの値に限定されない。この閾値はヒータランプの負荷構成等によるため、ヒータランプの負荷構成等に応じて適宜変更するのが好ましい。
【００７８】
３本のＡＣ電源コード１４０、１５０及び１６０が適切なコンセントに接続されているか否かの判定について、以下の表２及び表３を参照してより具体的に説明する。
【００７９】
表２及び表３は、配線事例（Ｂ１）、配線事例（Ｂ２）、及び配線事例（Ｂ３）の配線状態において、測定１〜測定４の結果がどのようになるのかを示したものである。表２及び表３のデータは実際に測定を行なった測定データではなく、ほぼ同等の測定結果になると予想される仮想データである。ブレーカ前の電圧は測定不能であるため、このデータもほぼ同等の値になると予想されるデータである。なお、表２及び表３では、配線事例（Ｂ１）の配線状態、配線事例（Ｂ２）の配線状態、及び配線事例（Ｂ３）の配線状態が簡略化して示されている。配線事例（Ｂ２）では、第１のＡＣ電源コード１４０及び第２のＡＣ電源コード１５０が、同一のブレーカに繋がったコンセントに接続されている例を示している。
【００８０】
【表２】
2015143743.tif 000004
【００８１】
【表３】
2015143743.tif 000005
【００８２】
表２を参照して、３つのコンセントが別々のブレーカに繋がっている配線事例（Ｂ１）の場合、ヒータランプ１３４に電力が供給されている状態で入力電圧が検出された測定２では、検出部（２）の検出値（入力電圧）が電圧降下によって小さくなり、検出部（１）及び検出部（３）の検出値（入力電圧）はそれほど変化しない。そのため、測定１−測定２の値は、検出部（１）及び検出部（３）では０．１Ｖ程度と小さく、検出部（２）では１．９Ｖ程度と大きくなる。
【００８３】
表３を参照して、ヒータランプ１３２に電力が供給されている状態で入力電圧が検出された測定３では、検出部（２）及び検出部（３）の検出値はほとんど変化しないのに対し、検出部（１）の検出値が電圧降下によって小さくなる。そのため、測定１−測定３の値は、検出部（１）では１．９Ｖ程度と大きく、検出部（２）及び検出（３）では０．１Ｖ程度と小さくなる。ヒータランプ１３６に電力が供給されている状態で入力電圧が検出された測定４では、検出部（１）及び検出部（２）の検出値はほとんど変化しないのに対し、検出部（３）の検出値が電圧降下によって小さくなる。そのため、測定１−測定４の値は、検出部（１）及び検出部（２）では０．１Ｖ程度と小さく、検出部（３）では２．０Ｖ程度と大きくなる。
【００８４】
測定１−測定２の電圧値、測定１−測定３の電圧値、及び測定１−測定４の電圧値は、いずれも、所定の閾値（０．５Ｖ）以上の電圧値は１個しかない。すなわち、所定の閾値以上の電圧値が複数個ある算出結果がない。したがって、所定の閾値以上の電圧値が複数個ある算出結果がない場合（ステップＳ２１２０においてＮＯ）、画像形成装置２００は、ＡＣ電源コードの上流側の配線状態が配線事例（Ｂ１）の状態であると予測して、３本のＡＣ電源コードが適切なコンセントに接続されていると判定する。
【００８５】
再び表２を参照して、３つのコンセントのうちの２つのコンセントが同一のブレーカに繋がっている配線事例（Ｂ２）の場合、ヒータランプ１３４に電力が供給されている状態で入力電圧が検出された測定２では、検出部（１）及び検出部（２）の検出値が電圧降下によって小さくなり、検出部（３）の検出値はそれほど変化しない。そのため、測定１−測定２の値は、検出部（１）及び検出部（２）ではそれぞれ１．１Ｖ程度及び１．９Ｖ程度と大きく、検出部（３）では０．１Ｖ程度と小さくなる。
【００８６】
表３を参照して、ヒータランプ１３２に電力が供給されている状態で入力電圧が検出された測定３では、検出部（１）及び検出部（２）の検出値が電圧降下によって小さくなり、検出部（３）の検出値はそれほど変化しない。そのため、測定１−測定３の値は、検出部（１）及び検出部（２）ではそれぞれ１．９Ｖ程度及び１．０Ｖ程度と大きく、検出部（３）では０．１Ｖ程度と小さくなる。ヒータランプ１３６に電力が供給されている状態で入力電圧が検出された測定４では、検出部（１）及び検出部（２）の検出値はほとんど変化しないのに対し、検出部（３）の検出値が電圧降下によって小さくなる。そのため、測定１−測定４の値は、検出部（１）及び検出部（２）では０．１Ｖ程度と小さく、検出部（３）では２．０Ｖ程度と大きくなる。
【００８７】
配線事例（Ｂ２）の場合、測定１−測定２の電圧値、及び測定１−測定３の電圧値において、所定の閾値（０．５Ｖ）以上の電圧値（検出部（１）及び検出部（２）の値）が２個ある。すなわち、所定の閾値以上の電圧値が複数個ある算出結果がある。したがって、所定の閾値以上の電圧値が複数個ある算出結果がある場合（ステップＳ２１２０においてＹＥＳ）、画像形成装置２００は、ＡＣ電源コードが適切なコンセントに接続されていないと判定する。具体的には、測定１−測定２の電圧値、及び測定１−測定３の電圧値において、検出部（１）及び検出部（２）の値が所定の閾値以上であるため、こうした結果が得られると、画像形成装置２００は、検出部（１）に対応する第１のＡＣ電源コード１４０、及び検出部（２）に対応する第２のＡＣ電源コード１５０の接続が適切でないと判定する。この場合、画像形成装置２００は、ＡＣ電源コードの上流側の配線状態が配線事例（Ｂ２）の状態であると予測して、３本のＡＣ電源コードのうち２本のＡＣ電源コード１４０及び１５０が適切なコンセントに接続されていないと判定する。
【００８８】
第２のＡＣ電源コード１５０及び第３のＡＣ電源コード１６０が、同一のブレーカに繋がったコンセントに接続される場合、並びに、第１のＡＣ電源コード１４０及び第３のＡＣ電源コード１６０が、同一のブレーカに繋がったコンセントに接続される場合も論理的に同じであるため、その説明は省略する。
【００８９】
再び表２を参照して、３つのコンセントのいずれもが同一のブレーカに繋がっている配線事例（Ｂ３）の場合、ヒータランプ１３４に電力が供給されている状態で入力電圧が検出された測定２では、検出部（１）、検出部（２）及び検出部（３）の検出値がいずれも電圧降下によって小さくなる。そのため、測定１−測定２の値は、検出部（１）では１．１Ｖ程度、検出部（２）では１．９Ｖ程度、及び検出部（３）では１．１Ｖ程度といずれも大きくなる。
【００９０】
表３を参照して、ヒータランプ１３２に電力が供給されている状態で入力電圧が検出された測定３でも、検出部（１）、検出部（２）及び検出部（３）の検出値がいずれも電圧降下によって小さくなる。そのため、測定１−測定３の値は、検出部（１）では１．９Ｖ程度、検出部（２）では１．０Ｖ程度、及び検出部（３）では１．０Ｖ程度といずれも大きくなる。ヒータランプ１３６に電力が供給されている状態で入力電圧が検出された測定４でも、検出部（１）、検出部（２）及び検出部（３）の検出値がいずれも電圧降下によって小さくなる。そのため、測定１−測定４の値は、検出部（１）では１．１Ｖ程度、検出部（２）では１．１Ｖ程度、及び検出部（３）では２．０Ｖ程度といずれも大きくなる。
【００９１】
配線事例（Ｂ３）の場合、測定１−測定２の電圧値、測定１−測定３、及び測定１−測定４のいずれの電圧値においも、所定の閾値（０．５Ｖ）以上の電圧値（検出部（１）、検出部（２）及び検出部（３）の値）が３個ある。すなわち、所定の閾値以上の電圧値が複数個ある算出結果がある。したがって、所定の閾値以上の電圧値が複数個ある算出結果がある場合（ステップＳ２１２０においてＹＥＳ）、画像形成装置２００は、ＡＣ電源コードが適切なコンセントに接続されていないと判定する。具体的には、測定１−測定２の電圧値、測定１−測定２の電圧値、及び測定１−測定４の電圧値において、検出部（１）〜検出部（３）の値が所定の閾値以上であるため、こうした結果が得られると、画像形成装置２００は、検出部（１）に対応する第１のＡＣ電源コード１４０、検出部（２）に対応する第２のＡＣ電源コード１５０、及び検出部（３）に対応する第３のＡＣ電源コード１６０の接続が適切でないと判定する。この場合、画像形成装置２００は、ＡＣ電源コードの上流側の配線状態が配線事例（Ｂ３）の状態であると予測して、３本のＡＣ電源コードが適切なコンセントに接続されていないと判定する。
【００９２】
ＡＣ電源コードが適切なコンセントに接続されていないと判定すると、画像形成装置２００はそのことをユーザに通知する。本実施の形態では、画像形成装置２００は、タッチパネルディスプレイに所定の警告画面（図示せず。）を表示することによって、ＡＣ電源コードの接続が適切でないことをユーザに警告報知する（ステップＳ２１３０）。なお、配線事例（Ｂ２）の配線状態であることを予測した場合、同一のブレーカに繋がったコンセントに接続されているＡＣ電源コードをユーザに通知するようにされていると好ましい。具体的には、第１のＡＣ電源コード１４０及び第２のＡＣ電源コード１５０が、同一のブレーカに繋がったコンセントに接続されている場合、第１のＡＣ電源コード１４０及び第２のＡＣ電源コード１５０の接続が適切でないことをユーザに通知し、第２のＡＣ電源コード１５０及び第３のＡＣ電源コード１６０が、同一のブレーカに繋がったコンセントに接続されている場合、第２のＡＣ電源コード１５０及び第３のＡＣ電源コード１６０の接続が適切でないことをユーザに通知し、第１のＡＣ電源コード１４０及び第３のＡＣ電源コード１６０が、同一のブレーカに繋がったコンセントに接続されている場合、第１のＡＣ電源コード１４０及び第３のＡＣ電源コード１６０の接続が適切でないことをユーザに通知するようにされていると好ましい。さらに、配線事例（Ｂ３）の配線状態であることを予測した場合、３本のＡＣ電源コードの接続が適切でないこと（２本以上のＡＣ電源コードを繋ぎ直す必要があること）をユーザに通知するようにされていると好ましい。
【００９３】
警告画面を見たユーザは、電源をＯＦＦにして（ステップＳ２１４０においてＹＥＳ）ＡＣ電源コードを別のコンセントに繋ぎ直し、再度電源を投入するものとする。画像形成装置２００は、上記動作を行なうことによって、３本のＡＣ電源コード１４０、１５０及び１６０が適切なコンセントに接続されているか否かを再び判定する。
【００９４】
３本のＡＣ電源コード１４０、１５０及び１６０が適切なコンセントに接続されていると判定すると、画像形成装置２００は通常の動作が可能な状態となる。
【００９５】
［作用・効果］
本実施の形態に係る画像形成装置２００においても、第１の実施の形態に係る画像形成装置１００と同様の効果を奏する。
【００９６】
（第３の実施の形態）
本実施の形態に係る画像形成装置は、ＡＣ電源コードの接続が適切でないと判定した場合でも、印刷以外の機能については動作が可能である点において、第１の実施の形態に係る画像形成装置１００と異なる。その他の点では、各画像形成装置は同一の構成である。
【００９７】
２本のＡＣ電源コードの接続が適切でない場合であっても、ヒータランプ１３２及びヒータランプ１３４（図２参照）に電力を供給しない動作（機能）であれば、画像形成装置の動作時にブレーカが落ちることがない。本実施の形態に係る画像形成装置は、２本のＡＣ電源コードの接続が適切であるか否かに応じて、ヒータランプ１３２及びヒータランプ１３４に電力を供給しない動作（機能）を実行可能な状態とする。
【００９８】
印刷動作では、画像の定着のためにヒータランプに電力を供給する必要があるため、本実施の形態では印刷機能は無効化される。ヒータランプ１３２及びヒータランプ１３４に電力を供給しない機能は有効化され、これらの機能が利用可能な状態となる。ヒータランプ１３２及びヒータランプ１３４に電力を供給しない機能（動作）としては、例えばＦＡＸ送受信機能、Ｓｃａｎ  ｔｏ  ｅｍａｉｌ機能等の送信系の機能、ファイリング機能（スキャン機能）等が挙げられる。
【００９９】
［ソフトウェア構成］
本実施の形態に係る画像形成装置では、図４に示されるプログラムに代えて、図１０及び図１１に示されるプログラムが実行される。図１０及び図１１のプログラムは、図４のステップＳ１１００に代えて、ステップＳ１２００〜ステップＳ１２３０を含む。ステップＳ１０００〜ステップＳ１０９０及びステップＳ１１１０における処理は、図４に示される各ステップにおける処理と同じである。以下、異なる部分について説明する。
【０１００】
図１０及び図１１を参照して、このプログラムは、ステップＳ１０９０において、算出したＭｉｎ値が所定の閾値以上であると判定された場合に実行され、ＡＣ電源コードの接続が適切でないことをユーザに警告報知するステップＳ１２００を含む。ステップＳ１２００では、図１２に示される警告画面４００がタッチパネルディスプレイに表示される。図１２を参照して、この警告画面４００は「ＡＣコードの接続が適切ではありません。一方のＡＣコードを別のコンセントに繋ぎ直して下さい。」との警告メッセージを表示する領域４１０、印刷以外の動作が実行可能であることを示すメッセージを表示する領域４１２、及び動作可能な具体的な機能を表示する領域４１４を含む。警告画面４００はさらに、印刷以外の動作を実行可能な状態にする場合にユーザに操作される「はい」キー４２０を含む。
【０１０１】
図１１を参照して、このプログラムはさらに、ステップＳ１２００の後に実行され、ユーザによって警告画面４００の「はい」キー４２０が操作されたか否かを判定し、判定結果に応じて制御の流れを分岐させるステップＳ１２１０と、ステップＳ１２１０において、「はい」キー４２０の操作がされたと判定された場合に実行され、第１のヒータランプ制御部１４４及び第２のヒータランプ制御部１５４（図２参照）を無効化する（ＯＮしないよう設定する）ステップＳ１２２０と、ステップＳ１２２０の後に実行され、印刷以外の動作（機能）を有効に設定し、このプログラムを終了するステップＳ１２３０とを含む。ステップＳ１２１０において「はい」キー４２０の操作がされていないと判定された場合、制御はステップＳ１１１０に進む。ステップＳ１１１０において、電源がＯＦＦされていないと判定された場合は、制御はステップＳ１２１０に戻る。ステップＳ１２３０では、印刷機能を無効化することによって、機能を制限する。「はい」キー４２０が操作されると警告画面４００が閉じられる。
【０１０２】
［作用・効果］
画像形成装置は、ＦＡＸ送受信機能、スキャナ機能等のヒータランプ１３２及びヒータランプ１３４に電力が供給されない状態でも動作が可能な機能を持つ。画像形成装置は、ＡＣ電源コードの接続が適切でない場合、ユーザの操作に応答して、印刷以外の機能に自機の機能を限定して動作が可能な状態とする。これにより、ＡＣ電源コードの接続が適切でない場合であっても、印刷以外の機能をユーザに提供できる。警告画面４００には動作可能な機能が表示されるため、ユーザは所望の機能が利用できるか否かを容易に認識できる。その結果、画像形成装置を使用できないことによるユーザのストレスを最小限に抑えることができる。
【０１０３】
（第４の実施の形態）
本実施の形態に係る画像形成装置は、ＡＣ電源コードの接続が適切でないと判定した場合でも、少なくとも一方のヒータランプに電力が供給されない状態で動作が可能な機能については動作が可能である点において、第１の実施の形態に係る画像形成装置１００と異なる。その他の点では、各画像形成装置は同一の構成である。
【０１０４】
２本のＡＣ電源コードの接続が適切でない場合であっても、ヒータランプ１３２及びヒータランプ１３４（図２参照）に電力を供給しない動作（機能）であれば、画像形成装置の動作時にブレーカが落ちることがない。さらに、ヒータランプ１３２及びヒータランプ１３４の両方に電力が供給されていなければ、すなわち、ヒータランプ１３２のみに電力が供給されている状態であれば、画像形成装置の動作時にブレーカが落ちることがない。そのため、ヒータランプ１３２及びヒータランプ１３４のうちヒータランプ１３２のみを用いて印刷する場合は、ブレーカが落ちることなく印刷を実行できる。ただし、この場合は定着装置の熱量が不足するため、印刷速度が低下する。
【０１０５】
本実施の形態に係る画像形成装置は、２本のＡＣ電源コードの接続が適切であるか否かに応じて、少なくとも一方のヒータランプに電力を供給しない動作（機能）を実行可能な状態とする。この場合、印刷動作のうち、ヒータランプ１３２及びヒータランプ１３４の両方に電力を供給する必要がある高速の印刷機能は無効化される。一方、ヒータランプ１３２及びヒータランプ１３４のうちヒータランプ１３２のみに電力を供給する低速の印刷機能は有効化される。ヒータランプ１３２及びヒータランプ１３４に電力を供給しない機能についても有効化される。有効化された機能は利用可能な状態となる。
【０１０６】
［ソフトウェア構成］
本実施の形態に係る画像形成装置では、図４に示されるプログラムに代えて、図１３及び図１４に示されるプログラムが実行される。図１３及び図１４のプログラムは、図４のステップＳ１１００に代えて、ステップＳ１３００〜ステップＳ１３３０を含む。ステップＳ１０００〜ステップＳ１０９０及びステップＳ１１１０における処理は、図４に示される各ステップにおける処理と同じである。以下、異なる部分について説明する。
【０１０７】
図１３及び図１４を参照して、このプログラムは、ステップＳ１０９０において、算出したＭｉｎ値が所定の閾値以上であると判定された場合に実行され、ＡＣ電源コードの接続が適切でないことをユーザに警告報知するステップＳ１３００を含む。ステップＳ１３００では、図１５に示される警告画面５００がタッチパネルディスプレイに表示される。図１５を参照して、この警告画面５００は「ＡＣコードの接続が適切ではありません。一方のＡＣコードを別のコンセントに繋ぎ直して下さい。」との警告メッセージを表示する領域、印刷以外の動作及び印刷速度を低下させた印刷動作が実行可能であることを示すメッセージを表示する領域５１２、並びに、動作可能な具体的な機能を表示する領域５１４を含む。警告画面５００はさらに、高速印刷以外の動作を実行可能な状態にする場合にユーザに操作される「はい」キー５２０を含む。
【０１０８】
図１４を参照して、このプログラムはさらに、ステップＳ１３００の後に実行され、ユーザによって警告画面５００の「はい」キー５２０が操作されたか否かを判定し、判定結果に応じて制御の流れを分岐させるステップＳ１３１０と、ステップＳ１３１０において、「はい」キー５２０の操作がされたと判定された場合に実行され、第２のヒータランプ制御部１５４（図２参照）を無効化する（ＯＮしないよう設定する）ステップＳ１３２０と、ステップＳ１３２０の後に実行され、高速印刷以外の動作（機能）を有効に設定し、このプログラムを終了するステップＳ１３３０とを含む。ステップＳ１３１０において「はい」キー５２０の操作がされていないと判定された場合、制御はステップＳ１１１０に進む。ステップＳ１１１０において、電源がＯＦＦされていないと判定された場合は、制御はステップＳ１３１０に戻る。ステップＳ１３３０では、高速印刷機能を無効化することによって、機能を制限する。「はい」キー５２０が操作されると、警告画面５００が閉じられる。
【０１０９】
［作用・効果］
画像形成装置は、ＦＡＸ送受信機能、スキャナ機能等のヒータランプ１３２及びヒータランプ１３４に電力が供給されない状態でも動作が可能な機能を持つ。画像形成装置はさらに、ヒータランプ１３２及びヒータランプ１３４のうちヒータランプ１３２のみに電力を供給する低速の印刷機能を持つ。画像形成装置は、ＡＣ電源コードの接続が適切でない場合、ユーザの操作に応答して、高速印刷以外の機能に自機の機能を限定して動作が可能な状態とする。これにより、ＡＣ電源コードの接続が適切でない場合であっても、高速印刷以外の機能をユーザに提供できる。警告画面５００には動作可能な機能が表示されるため、ユーザは所望の機能が利用できるか否かを容易に認識できる。その結果、画像形成装置を使用できないことによるユーザのストレスを最小限に抑えることができる。
【０１１０】
（変形例）
上記実施の形態では、画像形成装置の一例である複合機（ＭＦＰ）に本発明を適用した例について示したが、本発明はそのような実施の形態には限定されない。画像形成装置は複合機以外の装置であってもよい。例えば、コピー機、プリンタ等の画像形成装置であってもよい。
【０１１１】
上記実施の形態では、電気機器の１種である画像形成装置に本発明を適用した例について示したが、本発明はそのような実施の形態には限定されない。複数の電源コードを持つ電気機器であれば、画像形成装置以外の電気機器においても本発明を適用することが可能である。
【０１１２】
上記実施の形態では、２本又は３本の電源コードを持つ装置の例について示したが、本発明はそのような実施の形態には限定されない。装置に電力を供給する電源コードの数は、４本以上であってもよい。
【０１１３】
上記実施の形態では、電源コードを介して電力が供給される負荷をヒータランプとした例について示したが、本発明はそのような実施の形態には限定されない。電源コードを介して電力が供給される負荷（例えば重負荷部）はヒータランプ以外であってもよい。
【０１１４】
上記実施の形態では、定着装置の加熱源にヒータランプを用いた例について示したが、本発明はそのような実施の形態には限定されない。定着装置の加熱源はヒータランプ以外であってもよい。
【０１１５】
上記実施の形態では、複数の電源コードが適切なコンセントに接続されていないと判定された場合に警告画面を表示してそのことをユーザに通知する例について示したが、本発明はそのような実施の形態には限定されない。警告画面とともに、又は警告画面に代えて、音声等でユーザに通知するようにしてもよい。
【０１１６】
上記第３及び第４の実施の形態では、複数の電源コードが適切なコンセントに接続されていないと判定された場合に、ユーザの操作に応答して、印刷以外の機能、又は高速印刷以外の機能を有効にする例について示したが、本発明はそのような実施の形態には限定されない。例えば、複数の電源コードが適切なコンセントに接続されていないと判定されたことに応答して、印刷以外の機能、又は高速印刷以外の機能を有効にするようにしてもよい。
【０１１７】
上記第１、第３及び第４の実施の形態では、Ｍｉｎ値と所定の閾値とを比較することによって、２本のＡＣ電源コードが適切なコンセントに接続されているか否かを判定する例について示したが、本発明はそのような実施の形態には限定されない。例えば、第２の実施の形態と同様の方法により、２本のＡＣ電源コードが適切なコンセントに接続されているか否かを判定するようにしてもよい。すなわち、測定１−測定２の算出結果、及び測定１−測定３の算出結果において所定の閾値以上の値が複数個ある算出結果があるか否かに応じて、２本のＡＣ電源コードが適切なコンセントに接続されているか否かを判定するようにしてもよい。
【０１１８】
上記で開示された技術を適宜組合せて得られる実施の形態についても、本発明の技術的範囲に含まれる。
【０１１９】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１２０】
１００、２００                    画像形成装置
１０２                            制御部
１０４                            画像読取部
１０６                            画像メモリ
１０８                            制御プログラム記憶部
１１０                            画像処理部
１１２                            画像形成部
１１４                            操作部
１１６                            モデム部
１１８                            通信部
１２０                            管理部
１２２                            記憶部
１２４                            電源部
１２６                            駆動部
１２８                            演算部
１３２、１３４、１３６            ヒータランプ
１４０、１５０、１６０            ＡＣ電源コード
１４２、１５２、１６２            入力電圧検出部
１４４、１５４、１６４            ヒータランプ制御部
３００、４００、５００            警告画面
【図１】
2015143743.tif 000006
【図２】
2015143743.tif 000007
【図３】
2015143743.tif 000008
【図４】
2015143743.tif 000009
【図５】
2015143743.tif 000010
【図６】
2015143743.tif 000011
【図７】
2015143743.tif 000012
【図８】
2015143743.tif 000013
【図９】
2015143743.tif 000014
【図１０】
2015143743.tif 000015
【図１１】
2015143743.tif 000016
【図１２】
2015143743.tif 000017
【図１３】
2015143743.tif 000018
【図１４】
2015143743.tif 000019
【図１５】
2015143743.tif 000020